(57)【特許請求の範囲】
【請求項１】
呼気が吹き込まれる送気口と、
前記送気口から吹き込まれた呼気が共通送気路と前記共通送気路から分岐した第１送気路、第２送気路及び第３送気路を介してそれぞれ流入する第１共鳴室、第２共鳴室及び第３共鳴室と、
前記第１共鳴室、前記第２共鳴室及び前記第３共鳴室でそれぞれ生成される音を放出する第１放音口、第２放音口及び第３放音口と、を備え、
前記第１共鳴室と前記第２共鳴室とは平面視で並べて配置され、
前記第１共鳴室及び前記第２共鳴室の間に、且つ、前記第１共鳴室及び前記第２共鳴室の上方に前記第３共鳴室が配置され、
前記第１放音口、前記第２放音口及び前記第３放音口が上方に向けて開口している、
ことを特徴とするホイッスル。
【請求項２】
前記第１送気路の出口、前記第２送気路の出口、及び、前記第３送気路の出口の少なくとも一つが、前記ホイッスルの長手方向において相対的に異なる位置に配置されていることを特徴とする請求項１に記載のホイッスル。
【請求項３】
前記第３送気路の出口が、前記第１送気路の出口、及び、前記第２送気路の出口より前方に配置されていることを特徴とする、請求項１又は２に記載のホイッスル。
【請求項４】
前記第１共鳴室、前記第２共鳴室及び前記第３共鳴室はそれぞれの長手方向における中心軸が略正立三角形を形成して配置されていることを特徴とする請求項１乃至３のいずれか一項に記載のホイッスル。
【請求項５】
前記第１共鳴室、前記第２共鳴室及び前記第３共鳴室の長さがそれぞれ異なることを特徴とする請求項１乃至４のいずれか一項に記載のホイッスル。
【請求項６】
前記第３送気路は上方に向けて屈曲し、前記第３送気路を形成する前記送気口側の壁面で上唇のストッパーが形成されていることを特徴とする請求項１乃至５のいずれか一項に記載のホイッスル。
【発明の詳細な説明】
【技術分野】
【０００１】
本発明は、ホイッスルに関する。
【背景技術】
【０００２】
ホイッスルは音による簡便な伝達道具として、各種スポーツ競技における審判、人の多く集まる場所での警備、誘導、合図、或いはペットの指導等、様々な分野で広く使用されている。ホイッスルはそれぞれの使用環境に応じ、周囲の人や動物に速やかに音を届け、注意を喚起させられることが要求される。それゆえ、ホイッスルの吹鳴者にとって、必要なときに直ちに吹鳴できること、吹鳴し易いことが求められる。一方、被聴者にとっては、聞き取りやすい音質、音量ですぐさま吹鳴された音を認識可能であることが求められる。
【０００３】
非振動子型ホイッスルは共鳴室内部に振動子を内包する振動子型ホイッスルに比べて高い周波数の音を吹鳴することができ、また音の立ち上がりが早い特徴を有する。このため、素早い伝達、注意喚起を要する交通警備やスポーツ審判などの所謂プロフェッショナル分野で主に用いられている。この非振動子型ホイッスルではその特徴を活かすために、三つの異なる長さの共鳴室を有するホイッスルが主流になりつつある。その理由は、近似した異なる３つの音波を互いに干渉させてビート音を生じさせるためである。ビート音は２つの音波でも作ることは可能であるが、３つの方がより豊かで且つ明確なビート音を得ることができる。ビート音は回りの雑音からホイッスルの音を際立たせる重要な役目を担っている。効果的なビート音を発生させるためには、各音波が明確に発生し、その周波数が近似し、更にその振幅が近似することが重要である。また、共鳴音波の振幅は共鳴室の幅（断面積）で決まるから、各共鳴室断面積は同一であることが望まれる。
【０００４】
このような三つの共鳴室を有する非振動子型ホイッスルとして、以下のホイッスルが開示されている（特許文献１、特許文献２及び特許文献３）。
【先行技術文献】
【特許文献】
【０００５】
【特許文献１】米国特許第５，０８６，７２６号明細書
【特許文献２】特開平１−６５５９８号公報
【特許文献３】米国意匠特許第４０９，９３９号明細書
【発明の概要】
【発明が解決しようとする課題】
【０００６】
特許文献１に開示のホイッスルは、同一平面上に並列に配置された三つの共鳴室と、全て上方に向けて開口した三つの放音口を備えている。しかしながら、三つの放音口が隣接して配置されているため、一つの放音口から放出された気流の風圧が隣接する他の放音口から出た音波に影響を及ぼし、互いに打ち消し合う不具合が生じる。即ち、各共鳴室の独立性が確保できていない。この結果、三つの共鳴室及び三つの放音口を備えていても、それぞれの放音口からは期待される音波が明確に発生せず、明確なビート音を生じさせることができない。
【０００７】
また、特許文献３は特許文献１と同一の発明者によって後日開示されたホイッスルであり、同一平面上に並列に配置された三つの共鳴室と、三つの放音口を備えており、三つの放音口の少なくとも１つが下方を向いて開口している。また、特許文献２は３つの共鳴室の内の２つが平面上に並列に配置され、残りの一つが前記２つの共鳴室の下部に配置されており、３つの放音口の少なくとも１つが下方に向いて開口している。これらの配置は、後で詳述するように技術進展の歴史から、特許文献１に基づく商品を詳細に検討した結果、当該配置は各共鳴室の独立性を損ない、明確な音波が発生できていないことを見出し、其の問題を解決する方策として考案されたことは明白である。しかしながら、各共鳴室の独立性は確保できたものの、特許文献２及び特許文献３の配置は新たな問題を作り出した。
【０００８】
即ち、吹鳴者はホイッスルの両側面を一方の手で摘むようにして保持し吹鳴するが、この際にホイッスルの前方下側に手が位置することになる。このため、下方に位置する放音口から放出された音が手で遮られて減衰するという問題が新たに発生した。一方、手で保持せずに吹鳴する場合、吹鳴者はマウスピースを歯で噛み、ホイッスル下部を下あごに当てて固定し、吹鳴する。この場合も同様に、下あごが障壁となり、下方から放出した音が減衰するという問題が発生した。音の減衰は音波の振幅の減衰を意味するから、減衰した音では明確なビート音は得られない。その後、各共鳴室の独立性の確保と、放音口が手または下あごで遮られるという二つの問題を同時に解決したホイッスルは出現していない。
【０００９】
本発明は、上記事項に鑑みてなされたものであり、その目的とするところは、三つの共鳴室を備えつつも、三つの共鳴音波が互いに打ち消し合うことなく明確に発生され、且つ放出される音が吹鳴者の手や下あごによって遮られず、その結果、明確で心地よいビート音を発生させ得るホイッスルを提供することにある。更にそれぞれの共鳴室を無理に小型化せずとも扱いやすい幅に抑えられたホイッスルを提供することにある。
【課題を解決するための手段】
【００１０】
本発明に係るホイッスルは、
呼気が吹き込まれる送気口と、
前記送気口から吹き込まれた呼気が共通送気路と前記共通送気路から分岐した第１送気路、第２送気路及び第３送気路を介してそれぞれ流入する第１共鳴室、第２共鳴室及び第３共鳴室と、
前記第１共鳴室、前記第２共鳴室及び前記第３共鳴室でそれぞれ生成される音を放出する第１放音口、第２放音口及び第３放音口と、を備え、
前記第１共鳴室と前記第２共鳴室とは平面視で並べて配置され、
前記第１共鳴室及び前記第２共鳴室の間に、且つ、前記第１共鳴室及び前記第２共鳴室の上方に前記第３共鳴室が配置され、
前記第１放音口、前記第２放音口及び前記第３放音口が上方に向けて開口している、
ことを特徴とする。
【００１１】
また、前記第１送気路の出口、前記第２送気路の出口、及び、前記第３送気路の出口の少なくとも一つが、前記ホイッスルの長手方向において相対的に異なる位置に配置されていることが好ましい。
【００１２】
また、前記第３送気路の出口が、前記第１送気路の出口、及び前記第２送気路の出口より前方に配置されていることが好ましい。
【００１３】
また、前記第１共鳴室、前記第２共鳴室及び前記第３共鳴室はそれぞれの長手方向における中心軸が略正立三角形を形成して配置されていることが好ましい。
【００１４】
また、前記第１共鳴室、前記第２共鳴室及び前記第３共鳴室の長さがそれぞれ異なることが好ましい。
【００１５】
また、前記第３の送気路は上方に向けて屈曲し、前記第３の送気路を形成する前記送気口側の壁面で上唇のストッパーが形成されていることが好ましい。
【発明の効果】
【００１６】
本発明に係るホイッスルは、３つの共鳴室及びそれぞれの共鳴室で生成された音波を放出する３つの放音口を備え、３つの放音口は全て上方に向けて開口されており、この３つの共鳴室の独立性が確保されているため、３つの明確な音波が発生する。そして、３つの放音口が全て上方を向いて開口しているため、吹鳴時にホイッスルの両側面を摘むようにして持っても、手がいずれの放音口から放出される音の進行を遮ることもなく、明確で心地よいビート音を発生させることができる。
【００１７】
また、３つの共鳴室が所謂俵積みに配置されているため、ホイッスルの幅は２つの共鳴室を有するホイッスルと同程度に抑えられており、扱いやすいという利点がある。
【図面の簡単な説明】
【００１８】
【図１】本発明の実施の形態に係るホイッスルの外観を示す斜視図である。
【図２】本発明の実施の形態に係るホイッスルの平面図である。
【図３】（Ａ）は図２におけるＸ１−Ｘ１’断面図、（Ｂ）は図２におけるＸ２−Ｘ２’断面図、（Ｃ）は図２におけるＸ３−Ｘ３’断面図である。
【図４】図２におけるＹ１−Ｙ１’断面図である。
【図５】図２におけるマウスピース側から本体側を見たＹ２−Ｙ２’断面図である。
【図６】本発明の実施の形態に係るホイッスルを吹鳴している状況を示す模式図である。
【発明を実施するための形態】
【００１９】
以下、図を参照しつつ本実施の形態に係るホイッスルについて説明する。本実施の形態に係るホイッスル１は、図１〜図５に示すように、主として、共通送気路１２及び共通送気路１２から分岐する３つの送気路１２ａ、１２ｂ、１２ｃが内包されるマウスピース部２と、３つの共鳴室１４ａ、１４ｂ、１４ｃが内包され、それぞれの共鳴室１４ａ、１４ｂ、１４ｃの一部が開口した３つの放音口１６ａ、１６ｂ、１６ｃを有するボディ部３とから構成されている。また、ボディ部３にはホイッスル１を首等に掛けて保持するための紐を通せる孔が穿たれた下げ紐孔４が設けられている。更に、ボディ部３の両側面下部にホイッスルを保持するためのつまみ部５が下方に張り出している。
【００２０】
マウスピース部２には、唇が当てられ、呼気が吹き込まれる細長い矩形状の送気口１１が開口している。そして、マウスピース部２には、送気口１１から吹き込まれた呼気を通過させ、第１共鳴室１４ａ、第２共鳴室１４ｂ及び第３共鳴室１４ｃへと導く共通送気路１２、第１送気路１２ａ、第２送気路１２ｂ及び第３送気路１３ｃが内包されている。
【００２１】
共通送気路１２は途中から第１送気路１２ａ、第２送気路１２ｂ及び第３送気路１３ｃの３本に枝分かれしている。そして、第１送気路１２ａ、第２送気路１２ｂ及び第３送気路１３ｃに流入した呼気は、それぞれの第１送気路出口１３ａ、第２送気路出口１３ｂ及び第３送気路出口１３ｃから放出される。
【００２２】
ボディ部３には、円柱形空間にて形成された第１共鳴室１４ａ、第２共鳴室１４ｂ及び第３共鳴室１４ｃが内包されている。第１送気路出口１３ａ、第２送気路出口１３ｂ及び第３送気路出口１３ｃから放出された呼気は、それぞれ第１共鳴室１４ａ、第２共鳴室１４ｂ及び第３共鳴室１４ｃに流入する。
【００２３】
第１共鳴室１４ａ、第２共鳴室１４ｂ及び第３共鳴室１４ｃは、それぞれの共鳴室の入り口の一部が共鳴室中心軸に対して斜めに切り欠かれており、第１放音口１６ａ、第２放音口１６ｂ及び第３放音口１６ｃとして開口している。
【００２４】
吹き込まれる呼気がエッジ１５ａ、１５ｂ及び１５ｃに衝突してそれぞれ音を発生させ、その音の一部が共鳴効果により、第１共鳴室１４ａ、第２共鳴室１４ｂ及び第３共鳴室１４ｃの長さで決まる周波数に従ってそれぞれ選択的に増幅され、生じた音波が第１放音口１６ａ、第２放音口１６ｂ及び第３放音口１６ｃからそれぞれ外部に放出される。
【００２５】
そして全ての放音口１６ａ、１６ｂ、１６ｃは上方に向けて開口している。このため、放出されたそれぞれの音は吹鳴者の手でその進行を妨げられることがない。
【００２６】
引き続き、ホイッスル１の構成並びに作用、効果について、より詳細に説明する。第１共鳴室１４ａと第２共鳴室１４ｂとは平面視で略平行に配置されている。また、第３共鳴室１４ｃは、第１共鳴室１４ａと第２共鳴室１４ｂとの間で、且つ、第１共鳴室１４ａと第２共鳴室１４ｂの上方に配置されている。
【００２７】
図３（Ａ）、図３（Ｂ）及び図３（Ｃ）に、図２のＸ１−Ｘ１’断面、Ｘ２−Ｘ２’断面及びＸ３−Ｘ３’断面をそれぞれ示しているが、第１共鳴室１４ａ、第２共鳴室１４ｂ、第３共鳴室１４ｃの長さＬ１、Ｌ２、Ｌ３はそれぞれ長さが異なっている。本実施の形態では、第１共鳴室１４ａの長さＬ１＞第２共鳴室１４ｂの長さＬ２＞第３共鳴室１４ｃの長さＬ３で構成されている。
【００２８】
共鳴室で生成される音の音色は音波の周波数によって変わり、共鳴室の長さが短ければ生成される音波の周波数が高くなり、高音を発する。一方、共鳴室が長ければ生成される音波の周波数が低くなり、低音を発する。本実施の形態に係るホイッスルでは、それぞれの共鳴室で生成される音の高さは、第３共鳴室１４ｃ＞第２共鳴室１４ｂ＞第１共鳴室１４ａとなる。相対的に高音、中音、低音の３種の異なる音色が発せられるため、その音波が互いに干渉してビート音を奏でる。
【００２９】
スポーツ競技における審判用として適する音が発せられる具体的な各共鳴室１４ａ、１４ｂ、１４ｃの長さの一例を挙げれば、各々、Ｌ１＝２２．７ｍｍ、Ｌ２＝２１．４ｍｍ、Ｌ３＝２０．０ｍｍである。この場合、放出される音はそれぞれの共鳴室音に甲高いビート音が加わった音となり、騒々しい体育館でも被聴者にとって他の音と区別し易い音が発せられる。
【００３０】
また、図４に、図２のＹ１−Ｙ１’断面を示しているが、第１共鳴室１４ａ、第２共鳴室１４ｂ及び第３共鳴室１４ｃの直径Ｄ１、Ｄ２、Ｄ３は全て等しく構成されている。音響理論から明らかなように、音の大きさは音波の振幅に依存する。管楽器の例からも判るように共鳴音波の振幅は共鳴室断面積で制約をうけるから、共鳴室の直径が大きければ大きい程、生成される音波の振幅が大きくなり、歪の無い伸びやかで大きな音が発せられる。ホイッスル１では、第１共鳴室１４ａ、第２共鳴室１４ｂ及び第３共鳴室１４ｃの直径Ｄ１、Ｄ２、Ｄ３が全て等しいため、これらの共鳴室１４ａ、１４ｂ、１４ｃで生成されるそれぞれの音の大きさ、即ち振幅は概略同じものとなる。ここで直径は５乃至１０ｍｍとすることができる。
【００３１】
上述したが、ビート音は周波数が異なる複数の音波が互いに干渉し合い、合成波形を歪ませることによって作られる。仮に、異なる音色でそれぞれ音の大きさが異なり、これらの音が同時に発せられた場合では、小さい音は音波の振幅が小さく、また、大きい音は音波の振幅が大きいものとなる。このように、一方の音波の振幅に比べて、他方の音波の振幅が小さいと、これらの音波の干渉効果は小さくなる。即ち、これら振幅の異なる音波が干渉して作られる合成音波波形の歪は小さいことから、明確なビート音を生じさせることができない。
【００３２】
しかし、本実施の形態に係るホイッスル１では、第１共鳴室１４ａ、第２共鳴室１４ｂ及び第３共鳴室１４ｃの直径が等しい。したがって、それぞれの共鳴室１４ａ、１４ｂ、１４ｃでは振幅がほぼ同じで、且つ、周波数が異なる音波が生成される。このため、ほぼ同じ音量で、かつ、異なる音色の音が発せられる。このため、それぞれの放音口１６ａ、１６ｂ、１６ｃから発せられる音が効果的に干渉し合い、合成音波波形の歪みが大きくなるので、明確で心地よいビート音が発生する。
【００３３】
また、図５に図２のＹ２−Ｙ２’断面を示しているが、第１放音口１６ａは、左側方斜め上方に向けて（図５において、Ｚ１−Ｚ１’軸に対し、角度θほど側面側に傾斜した方向に向けて）開口している。また、第２放音口１６ｂも同様に、右側方斜め上方に向けて（図５において、Ｚ２−Ｚ２’軸に対し、角度θほど側面側に傾斜した方向に向けて）開口している。θは３０〜６０°が望ましく、より望ましくは４０〜５０°である。θが３０°に満たない場合は第３共鳴室１４ｃを構成する壁に当たって音が減衰し、また６０°を超える場合ではつまみ部５を指で持って吹鳴すると、指が第１放音口１６ａ、第２放音口１６ｂを指で塞ぐ危険性が生じる。この構成によれば、３つの放音口１６ａ、１６ｂ、１６ｃからは断面で考えると放射状に音が発せられる。
【００３４】
このように第１放音口１６ａ、第２放音口１６ｂ、第３放音口１６ｃがそれぞれの共鳴室の中心軸Ｐ１、Ｐ２及びＰ３に対してそれぞれ斜め上方に傾斜して開口していると、第１エッジ１５ａ、第２エッジ１５ｂ、第３エッジ１５ｃを大きく形成することができる。エッジ１５ａ、１５ｂ、１５ｃが大きいほど、吹き込まれた呼気によって渦が生じやすく、音波が生成されやすい。
【００３５】
図３（Ａ）、図３（Ｂ）及び図３（Ｃ）の断面図に戻り、第３送気路出口１３ｃは第１送気路出口１３a及び第２送気路出口１３ｂよりもＱだけ前方、即ち下げ紐孔４側に位置している。この距離Ｑは２乃至１０ｍｍ、望ましくは３〜７ｍｍである。なお、本明細書における前方とは、ホイッスル１を吹鳴する際に被聴者側を向く方向、即ち、ホイッスル１の長手方向において送気口１１の反対方向をいう。
【００３６】
もし、第３送気路出口１３ｃが第１送気路出口１３a及び第２送気路出口１３ｂと同一平面上にあった場合、第１放音口１６ａ及び第２放音口１６ｂは第３放音口１６ｃの左右の同一位置に扇状に立体配置される結果となる。このような立体配置においては、各放音口１６ａ、１６ｂ、１６ｃは繋がった空間となって独立性が保てなくなる。このことは、各放音口の独立性を消失させるばかりでなく、それぞれの共鳴室での音の発生の独立性にも大きな影響を与え、正常な音の発生が不可能になる。其の原因は一つの送気路出口から出た風が隣接した放音口を介して隣接する共鳴室に流れ込むためであり、また、一つの放音口から出た気流が隣接する放音口を介して隣接する共鳴室から出た音波を打ち消すように作用するからである。
【００３７】
この問題を具体的に示す判り易い例を特許文献１に基づいて製品化された商品（商品名：ＡＣＭＥ  ＴＯＲＮＡＤＥ）に見ることができる。同商品では、３つの共鳴室が平面視で並べて配置され、且つ、３つの送気路出口及び３つの放音口が平面視で並べて配置されている。このような配置では、各々の放音口が１列に繋がった空間となって、各々の放音口の独立性の保持が困難となり、各共鳴室で作られた共鳴音波を互いに影響させずに放出することができない。特に中央の共鳴室で作られた共鳴音波は左右の放音口から放出される気流の風圧の影響を受けて打ち消され、正常な音波を発生し得ていない。このことは、中央の放音口を遮蔽物で塞いだ場合と、塞がない場合とで、吹鳴音が殆ど変わらないことで証明される。即ち、共鳴室は３つ存在しているが、少なくともそのうちの一つは正常に機能していない。したがって、明確で心地良いビート音を発生できていない。この問題を解決するため、特許文献２及び特許文献３では、中央の送気路出口及び放音口を下向きに配置したとことは明白である。しかしながら、各共鳴室の独立性は確保されたものの、前述のように、下向きに配置された放音口がホイッスルを保持した手で塞がれ、音が減衰するという新たな問題が生じている。更に、手で塞がれて減衰した音波は其の振幅が小さくなり、明確なビート音を奏でることができない。
【００３８】
上記の３つの共鳴室の独立性問題を解決する為に、本実施の形態では、第３送気路出口１３ｃを第１送気路出口１３ａ及び第２送気路出口１３ｂに対して前方（下げ紐孔４側）にずらす配置としている。この配置によって、第３送気路１２ｃを構成するマウスピース部２の一部が前方に張出して、第３放音口１６ｃと第１放音口１６ａ及び第２放音口１６ｂを隔離する隔離壁となり、且つ第３放音口１６ｃも前方に位置するために、それぞれの共鳴室１４ａ、１４ｂ、１４ｃ及び放音口１６ａ、１６ｂ、１６ｃの独立性が確保され、３つの異なる音色の音波の発生を確実なものにしている。なお、各共鳴室１４ａ、１４ｂ、１４ｃのこのような立体配置が実現されたことは、後で述べる各共鳴室１４ａ、１４ｂ、１４ｃの中心軸を略正立三角形に配置した効果の一つである。
【００３９】
以上のように、ホイッスル１では、第１放音口１６ａ、第２放音口１６ｂは第３放音口１６ｃよりも送気口１１側に位置し、全ての放音口１６ａ、１６ｂ、１６ｃが離間しているため、更には、３つの放音口１６ａ、１６ｂ、１６ｃがそれぞれ異なる角度で開口しているため、それぞれの共鳴室の独立性が確保され、３つの明確な共鳴音波が発生され、更に明確で心地よいビート音を奏で、被聴者に聞き取りやすい音量、音色となる。
【００４０】
なお、上記では、第３送気路出口１３ｃを第１送気路出口１３ａ及び第２送気路出口１３ｂに対して下げ紐孔４側に配置した形態について説明したが、上記に限定されることはない。例えば、第３送気路出口１３ｃを第１送気路出口１３ａ及び第２送気路出口１３ｂに対して送気口１１側に配置した形態であってもよい。また、送気口１１側から第１送気路出口１３ａ、第２送気路出口１３ｂ、第３送気路出口１３ｃの順に配置されていても、第３送気路出口１３ｃ、第２送気路出口１３ｂ、第１送気路出口１３ａの順に配置されていてもよい。
【００４１】
第３送気路出口１３ｃを第１送気路出口１３ａ及び第２送気路出口１３ｂに対して下げ紐孔４側に配置した場合の更なる利点について述べる。もし、第３送気路出口１３ｃが、第１送気路出口１３ａ及び第２送気路出口１３ｂと同じ位置にあったならば、ホイッスル１の全長を短くして小型化すると、上方に張り出した第３送気路出口１３ｃが送気口１１側に位置し、口でくわえることのできるマウスピース部２の長さが短くなり、口にくわえがたく、扱いにくくなってしまう。一方で、マウスピース部２の長さをくわえやすいよう確保すれば、ホイッスル１の全長が長くなり、小型化できない。
【００４２】
しかしながら、本実施の形態に係るホイッスル１では、上記のように第３送気路出口１３ｃを第１送気路出口１３ａ及び第２送気路出口１３ｂよりもＱだけ下げ紐孔４側に位置している。言い換えれば、第３送気路出口１３ｃを第１送気路出口１３ａ及び第２送気路出口１３ｂよりも前側（下げ紐孔４側）に張り出させることで、吹鳴者が口にくわえやすい長さのマウスピース部２を確保している。
【００４３】
また、第３送気路１２ｃが上方に向けて屈曲していることから、第３送気路１２ｃを形成する壁面が上唇のストッパーとして形成されている。
【００４４】
図４の断面図に戻り、本実施の形態に係るホイッスル１では、第１共鳴室１４ａと第２共鳴室１４ｂが平行配置され、第１共鳴室１４ａと第２共鳴室１４ｂの間、且つ、上方に第３共鳴室１４ｃが配置されており、所謂俵積みに配置されている。このため、３つの共鳴室が内包されていてもホイッスル１の幅Ｄｗは短く抑えられている。
【００４５】
例えば、共鳴室の直径を８ｍｍ、共鳴室の境界壁及びホイッスルの側壁の厚みをそれぞれ２ｍｍとした場合、ホイッスル１の幅Ｄｗは２２ｍｍである。一方、同じ８ｍｍの直径を有する３つの共鳴室を同一平面上に平行配置した場合では、ホイッスルの幅は３０ｍｍとなる。ホイッスル１では３つの共鳴室が俵積みに配置されていることにより、３つの共鳴室を同一平面上に平行配置されている場合に比べ、８ｍｍも幅を抑えることができる。このことは、ホイッスルの軽量化にもつながる。バスケットボールやサッカーなどの運動の激しいスポーツ審判にとってホイッスルの小型軽量化の要求は大きい。
【００４６】
更には、第１共鳴室１４ａ、第２共鳴室１４ｂ及び第３共鳴室１４ｃは、それぞれの共鳴室１４ａ、１４ｂ、１４ｃの長手方向の中心軸Ｐ１、Ｐ２、Ｐ３が略正立三角形を形成するよう配置されている。この俵積み配置は体積効率に優れ、無理に３つの共鳴室１４ａ、１４ｂ、１４ｃを小さくしなくても小型のホイッスル１を実現している。
【００４７】
なお、これまでに流通している一般的なホイッスルの本体幅、及びマウスピース幅が１８〜２３ｍｍであるのに対して、特許文献３に基づいて製造市販された商品（商品名：ＡＣＭＥ  ＴＯＲＮＡＤＥ２０００）の本体幅は２８ｍｍ、マウスピース幅は２２ｍｍであり、一般的なホイッスルより幅広で持ちにくく、また、口にくわえがたいことから、流布していないのが実情である。このことは、ホイッスルの利用者が小型のホイッスルを求めていることを示唆している。
【００４８】
更に、ホイッスルにとって、本体幅を小型化することが重要であることは、特許文献１及びそれに基づく商品から具体的に説明することができる。特許文献１に開示のホイッスルでは、３つの共鳴室が同一平面上に並列配置されており、特許文献１の主な説明図面（ＦＩＧ．２、ＦＩＧ．７、ＦＩＧ．８）では、各共鳴室の幅は同一寸法で図示されている。しかしながら、実際の製品（商品名：ＡＣＭＥ  ＴＯＲＮＡＤＥ）では、ＦＩＧ．１２に示されている他の実施例、即ち、中央の共鳴室の大きさを左右に比べて削減した形態で商品化されている。具体的な商品の寸法は、左右の共鳴室の幅は６ｍｍ、中央の共鳴室の幅は３ｍｍ、本体幅は２０ｍｍである。これは、中央の共鳴室の幅を左右の共鳴室の幅と同じ６ｍｍにすると本体幅が２４ｍｍとなって、ホイッスルの小型化の要望に反することを物語っている。このことからも、ミリ単位の小型化がホイッスルにとって重要であることがわかる。
【００４９】
一方で、音響工学理論から明白なように、共鳴音の大きさは音波の振幅に比例し、振幅は共鳴室の大きさに比例することから、同一平面上に平行配置された３つの共鳴室断面を小さくし、幅を抑えたホイッスルにした場合においては、共鳴室で生成される音波の振幅が小さくなるため、放出される音が小さくなってしまう。上記のように中央の共鳴室の幅を左右の共鳴室の幅よりも狭め、特許文献１に基づいて商品化された上記製品（商品名：ＡＣＭＥ  ＴＯＲＮＡＤＯ）では、幅の縮小は実現された一方で、中央の共鳴室の幅が縮小されているため、中央の共鳴室で作られた共鳴音波の振幅は左右の共鳴室で作られた共鳴音波の振幅に比べて小さくなり、必然的に干渉効果も小さくなるので、明確なビート音を発生させることができない。
【００５０】
上記の例からも、明確なビート音を発生させ、且つ、小型であるホイッスルが要望されつつも、両者はトレードオフの関係を有することから、その実現は困難であったことがわかる。
【００５１】
しかし、本実施の形態に係るホイッスル１では、上記のようにほぼ同じ断面積でそれぞれ長さが異なる３つの共鳴室１４ａ、１４ｂ、１４ｃが俵積みに構成されている。このため、各共鳴室は同じ断面積で、いずれの断面積も無理に縮小させることなく、ホイッスル１の幅が抑えられている。そして、第３送気路出口１３ｃを第１送気路出口１３ａ及び第２送気路出口１３ｂよりも前方に位置させ、各共鳴室１４ａ、１４ｂ、１４ｃの独立性が確保されている。更に全ての放音口は上向きに配置され、且つホイッスルを保持した手で放音口が遮られ、音波が減衰する不具合がないから、全ての放音口から明確な音波が放出され、その結果明確なビート音を発生させることができる。以上のように、明確なビート音を発生できること及び小型のホイッスルであることのいずれをも犠牲にすることなく、吹鳴者にとって口にくわえやすく、また、吹鳴時に掴みやすく、更には、明確なビート音によって被聴者にとっても聞き取りやすいホイッスル１を実現している。
【００５２】
図６にホイッスル１を吹鳴している状況を示すが、通常、吹鳴者はホイッスル１のつまみ部５の両側面を親指と人差し指で摘むようにして保持し、マウスピース部２を口にくわえ吹鳴する。
【００５３】
この際、ホイッスル１の前方下側に手２２が位置することになる。この様な通常の吹鳴の仕方であると、特許文献２及び特許文献３のように、放音口が下方に向けて開口している場合では、その放音口から発せられる音は進行を手で遮られてしまい、被聴者に音を届けられない。
【００５４】
しかし、本実施の形態に係るホイッスル１では、全ての放音口１６ａ、１６ｂ、１６ｃが上方に向けて開口しているため、それぞれの放音口１６ａ、１６ｂ、１６ｃから放出される音は、矢印にて示すように手で音の進行が遮られることなく、被聴者へと届けることができる。
【００５５】
また、素早い動作が求められるスポーツ審判による使用においては咄嗟にホイッスルを口にくわえて吹鳴する必要がある。そのような場合、特許文献２及び特許文献３のホイッスルでは、上面が平面或いは若干の突起がある程度なので、深く口にくわえ込んで放音口を塞いでしまい、必要なときに吹鳴できないおそれがある。
【００５６】
一方、本実施の形態に係るホイッスル１では第３送気路１２ｃが上方へ屈曲しているため、第３送気路１２ｃを覆うマウスピース部２の壁面も上方へ向けて延びている。この壁面が上唇２１のストッパーとして機能するため、ホイッスルを咄嗟に口にくわえて吹鳴しなければならない場合でも、放音口１６ａ、１６ｂ、１６ｃが口で塞がれることなく安定して吹鳴することが可能である。
【符号の説明】
【００５７】
１    ホイッスル
２    マウスピース部
３    ボディ部
４    下げ紐孔
５    つまみ部
１１    送気口
１２    共通送気路
１２ａ  第１送気路
１２ｂ  第２送気路
１２ｃ  第３送気路
１３ａ  第１送気路出口
１３ｂ  第２送気路出口
１３ｃ  第３送気路出口
１４ａ  第１共鳴室
１４ｂ  第２共鳴室
１４ｃ  第３共鳴室
１５ａ  第１エッジ
１５ｂ  第２エッジ
１５ｃ  第３エッジ
１６ａ  第１放音口
１６ｂ  第２放音口
１６ｃ  第３放音口
２１    上唇
２２    手
【図１】
0005315296.tif 000002
【図２】
0005315296.tif 000003
【図３】
0005315296.tif 000004
【図４】
0005315296.tif 000005
【図５】
0005315296.tif 000006
【図６】
0005315296.tif 000007